(57)【要約】      （修正有）【課題】素早く組み立てられ、製造コストが安価で、ゲーム機の販売価格を低下できるゲーム機を提供する。【解決手段】ゲーム機は、本体１、カバー４及び底板５を備える。本体１は、第１ハウジング２及び第２ハウジング３を備え、第１ハウジング２及び第２ハウジング３は、組立方向に沿って組み立てられて収納空間を形成する。カバー４は、第１ハウジング２及び第２ハウジング３の組立方向と直交する方向の一端に組み立てられる。底板５は、第１ハウジング２及び第２ハウジング３のカバー４に対向する一端に組み立てられる。【選択図】図１
0003228597.tif 000002
【実用新案登録請求の範囲】
【請求項１】
ゲーム機であって、
第１ハウジング及び第２ハウジングを備え、前記第１ハウジング及び前記第２ハウジングは、組立方向に沿って組み立てられて収納空間を形成する本体と、
前記第１ハウジング及び前記第２ハウジングの前記組立方向と直交する方向の一端に組み立てられるカバーと、
前記第１ハウジング及び前記第２ハウジングの前記カバーに対向する一端に組み立てられる底板と、を備えるゲーム機。
【請求項２】
前記第１ハウジングには、前記第２ハウジングの方向に間隔を空けた２つの第１延伸ロッドが一体に延設され、前記２つの第１延伸ロッドは前記第２ハウジングに組み立てられる、請求項１に記載のゲーム機。
【請求項３】
前記第２ハウジングには、前記第１ハウジングの方向に間隔を空けた２つの第２延伸ロッドが一体に延設され、前記２つの第２延伸ロッドは前記２つの第１延伸ロッドに当接し、前記カバーは前記２つの第１延伸ロッド及び前記２つの第２延伸ロッドに覆設される、請求項２に記載のゲーム機。
【請求項４】
前記第１ハウジングには、前記第２ハウジングの方向に間隔を空けた２つの第１バッフル板が一体に延設され、前記２つの第１バッフル板は前記第２ハウジングに組み立てられる、請求項３に記載のゲーム機。
【請求項５】
前記第２ハウジングには、前記第１ハウジングの方向に間隔を空けた２つの第２バッフル板が一体に延設され、前記２つの第２バッフル板は前記２つの第１バッフル板に当接し、前記底板は前記２つの第１バッフル板及び前記２つの第２バッフル板に組み立てられる、請求項４に記載のゲーム機。
【請求項６】
前記第１ハウジングは前板をさらに備え、前記２つの第１延伸ロッド及び前記２つの第１バッフル板は、それぞれ横方向において前記前板の両端に一体に延びており、
前記第２ハウジングは後板をさらに備え、前記２つの第２延伸ロッド及び前記２つの第２バッフル板は、それぞれ横方向において前記後板の両端に一体に延びており、
２つの視認可能な側板をさらに備え、各前記側板は、一端が前記第１延伸ロッド及び前記第２延伸ロッドに組み立てられ、他端が前記第１バッフル板及び前記第２バッフル板に組み立てられ、
複数の第１ロック部材をさらに備え、前記第１ロック部材は、それぞれ２つの前記側板を前記２つの第１延伸ロッド及び前記２つの第２延伸ロッドにロックする、請求項５に記載のゲーム機。
【請求項７】
複数の第２ロック部材をさらに備え、前記第２ロック部材は、底板を前記２つの第１バッフル板及び前記２つの第２バッフル板にロックし、
前記第１ハウジングは一体成形されたプラスチックケースであり、前記第２ハウジングは一体成形されたプラスチックケースである、請求項５に記載のゲーム機。
【請求項８】
仕切板をさらに備え、前記仕切板は、前記第１ハウジング及び前記第２ハウジングに組み立てられ、且つ前記カバーと前記底板の間に位置して前記収納空間を仕切り、前記仕切板には、切り欠きが設けられて物品を載置する、請求項１〜７のいずれか１項に記載のゲーム機。
【請求項９】
複数の第２ロック部材をさらに備え、前記第２ロック部材は、底板を前記２つの第１バッフル板及び前記２つの第２バッフル板にロックし、
仕切板をさらに備え、前記仕切板は、前記第１ハウジング及び前記第２ハウジングに組み立てられ、且つ前記カバーと前記底板の間に位置して前記収納空間を仕切り、前記仕切板には、切り欠きが設けられて物品を載置し、
前記第１ハウジングは、一体成形されたプラスチックケースであり、前記第２ハウジングは、一体成形されたプラスチックケースであり、
前記前板は、前記組立方向に沿って覗き口がさらに開設され、前記覗き口は前記仕切板と前記カバーの間に位置し、前記覗き口には、視認可能な前覗き板が設けられる、請求項６に記載のゲーム機。
【請求項１０】
前記前板は、前記組立方向に沿って取出口及び組立口がさらに開設され、前記取出口及び前記組立口は、前記仕切板と前記底板の間に位置し、前記組立口には、操作装置が取り外し可能に装着され、前記底板は前記第１ハウジング及び前記第２ハウジングのうちの一方に一体成形されている、請求項９に記載のゲーム機。
【考案の詳細な説明】
【技術分野】
【０００１】
本考案は、ゲーム機に関する。
【背景技術】
【０００２】
現代の人々は、生活環境の改善、経済的余裕に伴い、仕事を真剣にした上でレジャーやエンターテインメントをますます重視している。その中でも、最近、ゲーム機は人気が高まっており、消費者がいくつかのコインを使いさえすれば、ゲームを遊んだり、ドール、人形、おもちゃ、時計などを含むが、これらに制限されない好きなものを手に入れたりすることができ、遊びの楽しさや物品を掴むときの刺激感を楽しめる。
【０００３】
しかしながら、従来のゲーム機の機台は複数の金属製の棒状部材と複数のプレート部材とが組み立てられて構成されており、製作者がそれぞれの前板、後板、２つの側板及び各フレームを別々にロックする必要があり、組み立て工程が煩雑で製造コストが高く、ゲーム機の販売価格が高価であり、業界のコスト負担が大きくなり、改善すべき欠点がある。
【０００４】
したがって、上記問題を解決するために、新規かつ進歩性のあるゲーム機を提供する必要がある。
【考案の概要】
【考案が解決しようとする課題】
【０００５】
本考案の主な目的は、素早く組み立てられるという特徴を有し、製造コストが安価であり、ゲーム機の販売価格を低下させて業界のコスト負担を大幅に低減できるゲーム機を提供することである。
【課題を解決するための手段】
【０００６】
上記目的を達成させるために、本考案は、本体、カバー及び底板を備えるゲーム機を提供する。該本体は、第１ハウジング及び第２ハウジングを備え、該第１ハウジング及び該第２ハウジングは、組立方向に沿って組み立てられて収納空間を形成する。該カバーは、該第１ハウジング及び該第２ハウジングの該組立方向と直交する方向の一端に組み立てられる。該底板は、該第１ハウジング及び該第２ハウジングの該カバーに対向する一端に組み立てられる。
【図面の簡単な説明】
【０００７】
【図１】本考案の好ましい一実施例の斜視図である。
【図２】本考案の好ましい一実施例の分解図である。
【図３】本考案の別の好適実施例の分解図である。
【考案を実施するための形態】
【０００８】
以下、本考案の可能な実施形態を実施例を用いて説明するが、本考案の保護範囲を制限するものではないことを事前に説明する。
【０００９】
図１〜２には、本考案の好ましい一実施例が示されており、本考案のゲーム機は、本体１、カバー４及び底板５を備える。
【００１０】
該本体１は、第１ハウジング２及び第２ハウジング３を備え、該第１ハウジング２及び該第２ハウジング３は、組立方向に沿って組み立てられて収納空間１１を形成している。
【００１１】
該カバー４は、該第１ハウジング２及び該第２ハウジング３の該組立方向と直交する方向の一端に組み立てられる。
【００１２】
該底板５は、該第１ハウジング２及び該第２ハウジング３の該カバー４に対向する一端に組み立てられる。したがって、該カバー４と該底板５がそれぞれ該本体１の該組立方向と直交する方向の両端に取り付けられることによって、該収納空間１１が密閉され、該収納空間１１には、プレイヤーがピックするための商品を収納することができ、かつ、該ゲーム機は、該第１ハウジング２、該第２ハウジング３、該カバー４及び該底板５を組み合わせるだけで完成でき、素早く組み立てられるという特徴を有し、製造コストが安価であり、ゲーム機の販売価格を低下させて業界のコスト負担を大幅に低減できる。
【００１３】
具体的には、該第１ハウジング２には、該第２ハウジング３の方向に間隔を空けた２つの第１延伸ロッド２１が一体に延設され、この２つの第１延伸ロッド２１は、該第２ハウジング３に組み立てられる。本実施例では、該第２ハウジング３には、該第１ハウジング２の方向に間隔を空けた２つの第２延伸ロッド３１が一体に延設され、この２つの第２延伸ロッド３１はこの２つの第１延伸ロッド２１に当接し、該カバー４は、該本体１が外力による変形に耐えられる構造を有するように、この２つの第１延伸ロッド２１及びこの２つの第２延伸ロッド３１に覆設される。
【００１４】
該第１ハウジング２には、該第２ハウジング３の方向に間隔を空けた２つの第１バッフル板２２が一体に延設され、この２つの第１バッフル板２２は該第２ハウジング３に組み立てられる。本実施例では、該第２ハウジング３には、該第１ハウジング２の方向に間隔を空けた２つの第２バッフル板３２が一体に延設され、この２つの第２バッフル板３２はこの２つの第１バッフル板２２に当接し、該底板５は、該本体１の下半部の周囲を密閉するように、この２つの第１バッフル板２２及びこの２つの第２バッフル板３２に組み立てられる。なお、本実施例では、該第２ハウジング３にこの２つの第２延伸ロッド３１及びこの２つの第２バッフル板３２が設けられることで、該第１ハウジング２のこの２つの第１延伸ロッド２１及びこの２つの第２バッフル板３２を大きく伸ばす必要がなくなり、このため、該第１ハウジング２及び該第２ハウジング３の製造コストを効果的に低減することができ、他の実施例では、該第２ハウジングのみにこの２つの第２延伸ロッド及びこの２つの第２バッフル板が設けられてもよく、これに限定されるものではない。
【００１５】
さらに、該第１ハウジング２は前板２３をさらに備え、この２つの第１延伸ロッド２１及びこの２つの第１バッフル板２２は、それぞれ横方向において該前板２３の両端に一体に延びており、該第２ハウジング３は後板３３をさらに備え、この２つの第２延伸ロッド３１及びこの２つの第２バッフル板３２は、それぞれ横方向において該後板３３の両端に一体に延びており、それにより、該本体１は倒れにくい四角柱形状となる。
【００１６】
本実施例では、該ゲーム機はクレーンゲーム機であり、該ゲーム機は、仕切板６４をさらに備え、該仕切板６４は、該第１ハウジング２及び該第２ハウジング３に組み立てられ、且つ該カバー４と該底板５の間に位置して該収納空間１１を仕切り、該仕切板６４には、切り欠き６４１が設けられ、人形、おもちゃ、時計（不図示）などの商品のような物品を載置する。
【００１７】
好ましくは、該ゲーム機は、２つの視認可能な側板６１をさらに備え、各該側板６１は、一端が該第１延伸ロッド２１及び該第２延伸ロッド３１に組み立てられ、他端が該第１バッフル板２２及び該第２バッフル板３２に組み立てられ、このようにして、消費者はそれを介して該収納空間１１内の物品を視認することができる。
【００１８】
本実施例では、該ゲーム機は、複数の第１ロック部材６２をさらに備え、これらの第１ロック部材６２は、それぞれ２つの該側板６１をこの２つの第１延伸ロッド２１及びこの２つの第２延伸ロッド３１にロックすると、各該側板６１を該第１延伸ロッド２１及び該第２延伸ロッド３１に固定することができ、組立が容易である。
【００１９】
また、該ゲーム機は、複数の第２ロック部材６３をさらに備え、これらの第２ロック部材６３は底板５をこの２つの第１バッフル板２２及びこの２つの第２バッフル板３２にロックし、それにより、該底板５はこの２つの第１バッフル板２２及びこの２つの第２バッフル板３２に固定される。
【００２０】
なお、本実施例では、該第１ハウジング２は一体成形されたプラスチックケースであり、該第２ハウジング３は一体成形されたプラスチックケースであり、迅速な製造の利便性を有することができ、材料コストが低く、大量生産に適したものとすることができる。
【００２１】
また、該前板２３には、該組立方向に沿って覗き口２４がさらに開設され、該覗き口２４は該仕切板６４と該カバー４の間に位置し、該覗き口２４には、消費者が該仕切板６４に載置された物品を観察できるように、視認可能な前覗き板６５が設けられる。本実施例では、該前板２３には、該組立方向に沿って取出口２５及び組立口２６がさらに開設されており、該取出口２５及び該組立口２６は該仕切板６４と該底板５の間に位置し、物品は該仕切板６４の切り欠き６４１を介して該取出口２５に落ちて取り出され、該組立口２６には、操作装置６６が取り外し可能に装着され、それにより、該ゲーム機のクレーン又は他の操作可能なもの（未図示）を操作することができ、且つ、該操作装置６６は、分解修理やメンテナンスなどを実施でき、したがって、該本体１、該カバー４及び該底板５を組み立てた後、さらに該操作装置６６を取り付ければよく、このようにすると、該本体１の輸送を簡便で高速にする。なお、別の実施例では、該ゲーム機を他のゲーム機に積層して配置しようとする場合、該ゲーム機は該カバー４を設けずに、他のゲーム機の底板５を該ゲーム機の該第１ハウジング２と該第２ハウジング３に覆設するようにすればよい。
【００２２】
また、図３に示すように、本考案の他の実施例では、該底板５は、該第１ハウジング２及び該第２ハウジング３のうちの一方に一体成形され、本実施例では、該第２ハウジング３に一体成形され、このようにすると、該ゲーム機の組立過程をより高速化する。
【００２３】
前記のように、該カバーと該底板が該本体の該組立方向と直交する方向の両端にそれぞれ取り付けられることにより、該収納空間が密閉され、該収納空間には、プレイヤーが選択するための商品を収納することができ、そして、該ゲーム機は、該第１ハウジング、該第２ハウジング、該カバー及び該底板を組み合わせるだけで完成でき、素早く組み立てられるという特徴を有し、製造コストが安価であり、ゲーム機の販売価格を低下させて業界のコスト負担を大幅に低減できる。
【符号の説明】
【００２４】
１    本体
１１    収納空間
２    第１ハウジング
２１    第１延伸ロッド
２２    第１バッフル板
２３    前板
２４    覗き口
２５    取出口
２６    組立口
３    第２ハウジング
３１    第２延伸ロッド
３２    第２バッフル板
３３    後板
４    カバー
５    底板
６１    側板
６２    第１ロック部材
６３    第２ロック部材
６４    仕切板
６５    前覗き板
６６    操作装置
６４１    切り欠き
【図１】
0003228597.tif 000003
【図２】
0003228597.tif 000004
【図３】
0003228597.tif 000005